(57)【要約】【課題】ドレンプラグの抜け防止部品であるドレンキャップにホースを接続可能にする。【解決手段】この発明に係る空気調和機は、一面が開放した箱体であり、外郭を構成する外箱と、この外箱に、開放した一面を塞ぐように当接結合され、空気の吸込み口と、吹出し口とを有するパネルと、外箱内に設けられ、冷凍サイクルの冷媒と室内からの空気が熱交換を行う室内熱交換器と、外箱内に設けられ、室内熱交換器で発生するドレン水を受けるドレンパン７と、外箱内のドレンパン７の上方に設けられ、ドレンパン７に溜まるドレン水を外箱外に排出するドレンポンプ６と、このドレンポンプ６の真下付近のドレンパン７に設けられ、自然排水を行うドレン排水口１０ａと、このドレン排水口１０ａを塞ぐドレンプラグ１１と、ドレン排水口１０ａからの自然排水を流すホースを接続するホース接続口１２ｅを有するドレンキャップ１２とを備えたことを特徴とする。【選択図】図３
2008309468.tif 000002
【特許請求の範囲】
【請求項１】
一面が開放した箱体であり、外郭を構成する外箱と、
この外箱に、前記開放した一面を塞ぐように当接結合され、空気の吸込み口と、吹出し口とを有するパネルと、
前記外箱内に設けられ、冷凍サイクルの冷媒と室内からの空気が熱交換を行う室内熱交換器と、
前記外箱内に設けられ、前記室内熱交換器で発生するドレン水を受けるドレンパンと、
前記外箱内の前記ドレンパンの上方に設けられ、該ドレンパンに溜まるドレン水を前記外箱外に排出するドレンポンプと、
このドレンポンプの真下付近の前記ドレンパンに設けられ、自然排水を行う予備排水口と、
この予備排水口を塞ぐドレンプラグと、
前記予備排水口からの自然排水を流すホースを接続するホース接続口を有するドレンキャップとを備えたことを特徴とする空気調和機。
【請求項２】
前記パネルのコーナー部に、該パネルに着脱自在なコーナーパネルを設け、このコーナーパネルは、前記ドレンプラグの下方に位置することを特徴とする請求項１記載の空気調和機。
【請求項３】
前記ドレンプラグは、透明な材料からなることを特徴とする請求項１又は請求項２記載の空気調和機。
【請求項４】
前記ドレンプラグは、内部に空気層を有することを特徴とする請求項１乃至３のいずれかに記載の空気調和機。
【請求項５】
前記ドレンキャップは、透明な材料からなることを特徴とする請求項１乃至４のいずれかに記載の空気調和機。
【請求項６】
前記ドレンキャップは、前記ドレンプラグに当接して前記パネルに着脱自在に固定され、前記予備排水口からの自然排水を受ける水受け部を有すると共に、前記ドレンプラグの抜けを防止することを特徴とする請求項１乃至５のいずれかに記載の空気調和機。
【発明の詳細な説明】
【技術分野】
【０００１】
この発明は、ドレンパン内部を可視化して、容易にドレンパン内部の汚れを確認できるようにした天井埋込カセット形等の空気調和機に関するものである。
【０００２】
尚、空気調和機として、天井埋込カセット形空気調和機を用いて説明するが、その他の天井埋込形（ダクト式）、天吊り形等にも本発明は適用可能である。
【背景技術】
【０００３】
従来の天井埋込カセット形等の空気調和機には、熱交換器で発生するドレン水を回収するドレンパンが取付けられている。定期的にドレンパンの清掃をしなければ、空気中のゴミや細菌から成るヘドロやスライムによりドレンポンプの吸込口に汚れが詰まり、ドレンポンプが故障してドレン水がオーバーフローする。
【０００４】
ドレンパン内部の汚れ具合を確認するには、ドレンパン自体を空気調和機本体から取外し確認する必要がある。
【０００５】
その対策の一例として、ドレンパンの低部の一部を透明若しくは半透明にし且つその形状を膨出部とすることで、室内側からドレンパン内での水位の変化等を視認可能にした空気調和装置のドレン排水確認構造が知られている（例えば、特許文献１参照）。
【０００６】
また、ドレンパンには通常排水口とは別に、ドレンポンプ故障時の自然排水対応用の予備排水口が設けているものが知られている。予備排水口の内部に、ドレンポンプの方向に凹部を有する封止栓の一端が挿入され、通常はこの部分より水が洩れない構造となっている。封止栓の他端を袋状に突出させ、ドレンポンプ故障時に、封止栓の袋状突出部を切断し、配管接続することにより、ドレンポンプが故障して納入までに時間がかかっても空調機を停止することなく運転できるようにした空気調和機も知られている（例えば、特許文献２参照）。
【０００７】
また、ドレンポンプ直下のドレンポンプの最深部に設けた排水せんと直角に先端を袋状に封止した予備排水口を一体で形成し、ドレンポンプに異常が発生し運転不能となっても新しいドレンポンプが納入されるまでの間、予備排水口からドレン水を排出できようにして、空調機の停止を最小限に抑えることができる空気調和機も知られている（例えば、特許文献３参照）。
【特許文献１】特開平９−５３８３７号公報
【特許文献２】実開平４−７８４１８号公報
【特許文献３】実開平４−５７１２３号公報
【発明の開示】
【発明が解決しようとする課題】
【０００８】
従来の空気調和機は、上記のように構成されているので、以下のような課題あった。
（１）特許文献１の課題
ａ．覗き窓部分の貫通孔の断熱を保つ為に別途、貫通孔の形状に合致した断熱性を有するカバー材を設けなければならない。
ｂ．重要なドレンポンプ周辺の汚れが見えない。
ｃ．覗き窓がスキン層で形成され固定されているので、覗き窓表面に汚れが付着した場合、ドレンパン内部が見えなくなる。
【０００９】
従って、ドレンパン内部汚れの程度に関わらず空気調和機からドレンパンを外し、覗き窓の汚れを取らなければならない。
（２）特許文献２，３の課題
ａ．封止栓を切断して使用する為、部品の再利用が不可である。
ｂ．封止栓表面に露付が発生する。
ｃ．封止栓抜け防止部品が無いので、封止栓が自重で抜け、水漏れに至る場合がある。
【００１０】
この発明は、上記のような課題を解決するためになされたもので、ドレンパンの排水口を塞ぐドレンプラグを透明または半透明にして、ドレンパンに別途覗き窓を設けなくてもドレンパン内部の汚れを確認できる空気調和機を提供することを目的とする。
【００１１】
また、ドレンプラグで塞がれるドレンパンの排水口を、ドレンポンプ吸込口真下に配置して、ドレンパンの最も汚れやすい部分を容易に確認できるようにすることを目的とする。
【００１２】
また、ドレンプラグの抜け防止部品であるドレンキャップにホースを接続可能にすることを目的とする。
【課題を解決するための手段】
【００１３】
この発明に係る空気調和機は、一面が開放した箱体であり、外郭を構成する外箱と、
この外箱に、前記開放した一面を塞ぐように当接結合され、空気の吸込み口と、吹出し口とを有するパネルと、
前記外箱内に設けられ、冷凍サイクルの冷媒と室内からの空気が熱交換を行う室内熱交換器と、
前記外箱内に設けられ、前記室内熱交換器で発生するドレン水を受けるドレンパンと、
前記外箱内の前記ドレンパンの上方に設けられ、該ドレンパンに溜まるドレン水を前記外箱外に排出するドレンポンプと、
このドレンポンプの真下付近の前記ドレンパンに設けられ、自然排水を行う予備排水口と、
この予備排水口を塞ぐドレンプラグと、
前記予備排水口からの自然排水を流すホースを接続するホース接続口を有するドレンキャップとを備えたことを特徴とする。
【発明の効果】
【００１４】
この発明に係る空気調和機は、予備排水口からの自然排水を流すホースを接続するホース接続口を有するドレンキャップとを備えたことにより、ドレンポンプが故障していても空気調和機を運転することができる。
【発明を実施するための最良の形態】
【００１５】
実施の形態１．
図１乃至８は実施の形態１を示す図で、図１は天井埋込カセット形空気調和機の室内機２０の下方から見た斜視図、図２は天井埋込カセット形空気調和機の室内機２０の縦断面図（図１のＡ−Ａ断面）、図３はドレン排水口付近の拡大断面図、図４はドレン排水口付近の部分分解図、図５はドレンパン７内部の汚れ確認作業手順を示す図（ドレンプラグ１１が透明の場合）、図６はドレンパン７内部の汚れ確認作業手順を示す図（ドレンプラグ１１及びドレンキャップ１２が透明の場合）、図７はドレンポンプ６故障時の応急処置手順を示す図、図８はドレンプラグの断面図である。
【００１６】
図１に示すように、天井埋込カセット形空気調和機の室内機２０は、外箱１にＡＢＳ樹脂からなるパネル１４が当接結合されている。パネル１４の中央付近に、吸込み口２１があり、その周囲の４箇所に吹出し口２２が形成されている。吹出し口２２の数は任意でよく、複数であれば良い。パネル１４のコーナー部には、パネル１４とは別部品のコーナーパネル１３が４個パネル１４に嵌め込み（上下方向と水平方向）と、ネジ（図示せず）により取り付けられている。外箱１の側壁から、後述するドレンポンプのドレンホース６ａが外箱１から外部に延びている。
【００１７】
図２により、天井埋込カセット形空気調和機の室内機２０の全体構成を簡単に説明する。室内機２０は、断熱材４が内面に施された外箱１に、パネル１４が当接結合され、図示しない固定ボルトにより据付金具９を介して天壁に固定される。外箱１の内部中央付近に、ファン２ｂをファンモータ２ａで駆動する室内送風機２を備えている。室内送風機２が吸込み口２１のグリル１５、フィルター１６及びベルマウス８を通して室内空気を吸い込み、一次側空間２４に高圧空気を吐き出す。高圧空気は室内熱交換器５を通り、二次側空間２５に入り、吹出し口２２（図２には示されていない）から室内へ吹出される。
【００１８】
室内熱交換器５の下方に、室内熱交換器５で発生するドレン水を受けるドレンパン７が設置されている。ドレンパン７の材質は、発砲スチロールで、表面にＡＢＳ樹脂からなるスキン層７ａが一体成形されている。ドレンパン７の上方には、ドレンポンプ６が配置され、ドレンポンプ６はドレンポンプ取付金具６ｂにより断熱材４に固定される。ドレンポンプ６にはドレン水を外部に排出するドレンホース６ａが取り付けられている。ドレンパン７のドレンポンプ６の真下の部分には、ドレンポンプ６故障時に使用するドレン排水口１０ａ（予備排水口の一例）が開けられたノリル樹脂からなるドレンソケット１０がドレンパン７にインサート成形されている。ドレンソケット１０のドレン排水口１０ａは、ドレンポンプ６が正常であれば不要なため、常時はドレンプラグ１１で塞がれている。ドレンプラグ１１の抜け防止のために、ドレンキャップ１２がパネル１４に締結されている。
【００１９】
図３、４により、ドレンポンプ６直下のドレンパン７の予備排水口付近の構成を詳細に説明する。
【００２０】
ドレンポンプ６の吸込部直下のドレンパン７には、既に述べたように、ドレン排水口１０ａを有するドレンソケット１０がインサート成形により一体に形成されている。ドレンソケット１０のドレン排水口１０ａは、ドレンポンプ６が正常であれば不要なため、常時はドレンプラグ１１で塞がれている。ドレンプラグ１１は、ドレン排水口１０ａに押し込まれるが、シール部１１ａによりドレン水の洩れを防止している。
【００２１】
ドレンプラグ１１の材質は、軟質系樹脂であるスチレン系エラストマーであり、色は透明である。
【００２２】
本発明は、ドレンプラグ１１を透明とした点が一つの特徴である。
【００２３】
ドレンプラグ１１の抜けを防止するため、ＡＢＳ樹脂からなるドレンキャップ１２をドレンプラグ１１の底面に当接させ、パネル１４に固定している。ドレンキャップ１２は、中央付近にドレンソケット１０のドレン排水口１０ａより径の大きい水受け部１２ａが形成され、水受け部１２ａの端縁でドレンプラグ１１が抜けないように押えている。ドレンキャップ１２の水受け部１２ａと反対側には、ドレンポンプ６故障時にドレン水を排出する筒状のホース接続口１２ｅが形成されている。ホース接続口１２ｅの外周部には、ホースが抜けにくいように、カエシ１２ｃがついている。ドレンキャップ１２は、パネル１４の引掛け部１４ｂに引掛け足１２ｄを引掛け、さらにネジ１７により固定部１２ｆをパネル１４のボス部１４ａに固定している。従って、ドレンキャップ１２は、パネル１４からドライバーのみで容易に取り外すことができる。
【００２４】
ドレンポンプ６は、既に述べたように、定期的にドレンパン７の清掃をしなければ、空気中のゴミや細菌から成るヘドロやスライムによりドレンポンプ６の吸込口に汚れが詰まり、ドレンポンプ６が故障してドレン水がオーバーフローする恐れがある。
【００２５】
図５によりドレンパン７内部の汚れ確認作業手順を説明する（ドレンプラグ１１が透明な場合）。図３の構成にすれば、ドレンパン７内部の汚れを、従来のようにドレンパン７を外さなくても、室内から、コーナーパネル１３を外し、ドレンキャップ１２をパネル１４から外せば、ドレンプラグ１１が透明であるから、視認することができる。ドレンプラグ１１が覗き窓の役割をはたす。
【００２６】
先ず、吸込み口２１を開き、４個あるコーナーパネル１３の中の、ドレンソケット１０真下のコーナーパネル１３をパネル１４から取り外す。コーナーパネル１３はパネル１４にはめ込みとネジにより固定されているので、ドライバーのみで簡単に取り外し可能である（図５のＳ１０）。
【００２７】
次に、ドレンキャップ１２を、ネジ１７を緩めると共に、引掛け足１２ｄを外して、パネル１４から取り外す。これもドライバーのみの作業である（図５のＳ１１）。
【００２８】
ドレンキャップ１２を外すとドレンプラグ１１が見えるようになるが、ドレンプラグ１１は透明であるからドレンパン７内部を視認でき、ドレンパン７内部の汚れ等を点検できる（Ｓ１２）。
【００２９】
このとき、ドレンソケット１０のドレン排水口１０ａがドレンポンプ６の吸込口６ｃ真下に位置するため、ドレンポンプ６の内部を見ることができ、ドレンポンプ６の吸込口６ｃの汚れ、詰まり、動作確認が容易にできる。ドレンポンプ６の羽根の色を白等明るい色にすれば、回転の確認がしやすくなる。
【００３０】
さらに、ドレンソケット１０のドレン排水口１０ａの面積をドレンポンプ６の吸込口６ｃの面積より大きくすることにより、ドレンパン７内部のより広い範囲の状況を確認できる。
【００３１】
また、ドレンキャップ１２も透明にすれば、ドレンパン７内部の汚れを点検する場合に、ドレンキャップ１２を外さなくても点検が可能になる。
【００３２】
この場合のドレンパン７内部の汚れ確認作業手順を図６により説明する。
【００３３】
先ず、吸込み口２１を開き、４個あるコーナーパネル１３の中の、ドレンソケット１０真下のコーナーパネル１３をパネル１４から取り外す。コーナーパネル１３はパネル１４にはめ込みとネジにより固定されているので、ドライバーのみで簡単に取り外し可能である（図６のＳ２０）。
【００３４】
コーナーパネル１３を外すとドレンキャップ１２が見えるようになるが、ドレンキャップ１２及びドレンプラグ１１は透明であるからドレンパン７内部を視認でき、ドレンパン７内部の汚れ等を点検できる（Ｓ２１）。
【００３５】
また、例えば、ドレンポンプ６が故障して、ドレンホース６ａからの排水ができなくなると、ドレン水の洩れを抑制するため、ドレンパン７内の水位が所定値を超えると空調機（空気調和機）は運転を停止する。空調機の異常停止は、室内のリモコン（図示せず）に表示される。ドレンポンプ６を交換するまでの間、ドレンポンプ６が停止した状態で、空調機を運転する応急処置が必要である。
【００３６】
ドレンポンプ６が故障して、空調機が停止したことが判明した場合、以下のような応急処置を施して空調機を運転する。
【００３７】
ドレンポンプ６故障時の応急処置手順を図７により説明する。
【００３８】
ドレンポンプ６が故障して、ドレンパン７内の水位が所定値を超えると、空調機は停止し、リモコン等に異常が表示される（図７のＳ３０）。使用者は、販売店等にこのことを連絡し、ドレンポンプ６を交換するまで時間を要するので、サービスマンが以下の応急処置を行い、ドレンポンプ６が故障していても空調機を運転できるようにする。
【００３９】
４個あるコーナーパネル１３の中の、ドレンソケット１０真下のコーナーパネル１３をパネル１４から取り外す。コーナーパネル１３はパネル１４にはめ込みとネジにより固定されているので、ドライバーのみで簡単に取り外し可能である（図７のＳ３１）。
【００４０】
ドレンキャップ１２を、ネジ１７を緩めると共に、引掛け足１２ｄを外して、パネル１４から取り外す。これもドライバーのみの作業である（図７のＳ３２）。
【００４１】
ドレンプラグ１１をドレンソケット１０のドレン排水口１０ａから抜き取る。このとき、排水されるドレン水の処理は必要である（図７のＳ３３）。
【００４２】
ドレンキャップ１２を、ネジ１７と引掛け足１２ｄにより、パネル１４に取り付ける（図７のＳ３４）。
【００４３】
ドレンキャップ１２のホース接続口１２ｅにホースを接続する（図７のＳ３５）。
【００４４】
空調機の運転を再開する（図７のＳ３６）。この状態は、室内機２０からコーナーパネル１３と、ドレンプラグ１１とが外され、排水のためのホースが室内に垂れ下がった、あくまでもドレンポンプ６が交換されるまでの応急的なものである。空調機の運転により室内熱交換器５から発生するドレン水は、ドレンソケット１０のドレン排水口１０ａから、ドレンキャップ１２のホース接続口１２ｅを通り、ホースから排水される。
【００４５】
ドレンポンプ６が、交換完了した場合は、ドレンキャップ１２のホース接続口１２ｅからホースを外し、ドレンキャップ１２をパネル１４から外す。ドレンプラグ１１をドレンソケット１０のドレン排水口１０ａに押し込み、さらにドレンキャップ１２をパネル１４に上記と同様の方法で固定する。コーナーパネル１３を取り付け吸込み口２１を閉じて、作業を完了する。
【００４６】
従来は、ドレンポンプ６故障時にドレン水を自然排水するため、ドレンパン７には二つの排水口があった。一つは、ドレンポンプ６から離れた位置にあり、その排水口にホースを接続して空調機運転に伴い発生するドレン水を自然排水する。また、この排水口は、ドレンパン７内を清浄化するための薬剤を投入する場合にも使用されていた。他の一つは、ドレンポンプ６の真下にあり、人の指程度の小さい排水口で、そこに挿入されている栓を抜いてドレンパン７内のドレン水を完全に抜くときに使用する。
【００４７】
本発明は、ドレンポンプ６真下のドレンキャップ１２にホース接続口１２ｅを設けたので、ドレンパン７の排水口が一箇所に統一でき、ドレンパン７の形状が簡略化される。この場合、ドレンプラグ１１は、栓として作用するだけであるから、ドレンプラグ１１は透明でなくてもよい。
【００４８】
また、図８に示すように、ドレンプラグ１１の内部を中空形状にすると、内部に空気層ができ、断熱性が向上する利点がある。
【図面の簡単な説明】
【００４９】
【図１】実施の形態１を示す図で、天井埋込カセット形空気調和機の室内機２０の下方から見た斜視図である。
【図２】実施の形態１を示す図で、天井埋込カセット形空気調和機の室内機２０の縦断面図（図１のＡ−Ａ断面）である。
【図３】実施の形態１を示す図で、ドレン排水口付近の拡大断面図である。
【図４】実施の形態１を示す図で、ドレン排水口付近の部分分解図である。
【図５】実施の形態１を示す図で、ドレンパン７内部の汚れ確認作業手順を示す図（ドレンプラグ１１が透明の場合）である。
【図６】実施の形態１を示す図で、ドレンパン７内部の汚れ確認作業手順を示す図（ドレンプラグ１１及びドレンキャップ１２が透明の場合）である。
【図７】実施の形態１を示す図で、ドレンポンプ６故障時の応急処置手順を示す図である。
【図８】実施の形態１を示す図で、ドレンプラグの断面図である。
【符号の説明】
【００５０】
１  外箱、２  室内送風機、２ａ  ファンモータ、２ｂ  ファン、４  断熱材、５  室内熱交換器、６  ドレンポンプ、６ａ  ドレンホース、６ｂ  ドレンポンプ取付金具、６ｃ  吸込口、７  ドレンパン、７ａ  スキン層、８  ベルマウス、９  据付金具、１０  ドレンソケット、１０ａ  ドレン排水口、１１  ドレンプラグ、１１ａ  シール部、１２
ドレンキャップ、１２ａ  水受け部、１２ｃ  カエシ、１２ｄ  引掛け足、１２ｅ  ホース接続口、１２ｆ  固定部、１３  コーナーパネル、１４  パネル、１４ａ  ボス部、１５  グリル、１６  フィルター、１７  ネジ、２０  室内機、２１  吸込み口、２２  吹出し口、２４  一次側空間、２５  二次側空間。
【図１】
2008309468.tif 000003
【図２】
2008309468.tif 000004
【図３】
2008309468.tif 000005
【図４】
2008309468.tif 000006
【図５】
2008309468.tif 000007
【図６】
2008309468.tif 000008
【図７】
2008309468.tif 000009
【図８】
2008309468.tif 000010